(57)【要約】      （修正有）【課題】付勢部材をホルダに係合させる際に、短手方向への基板の変位を抑制することが可能な露光装置を提供する。【解決手段】ＬＥＤヘッド１３は、ＬＥＤアレイ１０１と、ＬＥＤアレイ１０１が配置される基板１０２と、ＬＥＤアレイ１０１からの光を集光するロッドレンズアレイ１０４と、基板１０２及びロッドレンズアレイ１０４を保持するホルダ１０３と、基板１０２を付勢する付勢部材１０５とを有し、付勢部材１０５は、付勢部材１０５がホルダ１０３と係合するために弾性変形するアーム３０２と、付勢部材１０５がホルダ１０３と係合したときに基板１０２を付勢するベース３０１とを有する。【選択図】図４
2018083373.tif 000002
【特許請求の範囲】
【請求項１】
複数の発光素子と、
前記複数の発光素子が配置される基板と、
前記発光素子からの光を集光する光学系と、
前記基板及び前記光学系を保持する保持部材と、
前記保持部材と係合し、前記基板を付勢する付勢部材と
を有し、
前記付勢部材は、
前記付勢部材が前記保持部材と係合するために弾性変形する第１の弾性部と、
前記付勢部材が前記保持部材と係合したときに前記基板を付勢する第２の弾性部と
を有することを特徴とする露光装置。
【請求項２】
前記付勢部材は、前記第２の弾性部に設けられ、前記基板と当接する当接部を有し、
前記第２の弾性部は、前記基板と前記当接部とが当接することで弾性変形する
ことを特徴とする請求項１に記載の露光装置。
【請求項３】
前記第２の弾性部は、前記基板と前記当接部とが当接することで前記第２の弾性部の幅が長手方向において小さくなるように撓むことを特徴とする請求項２に記載の露光装置。
【請求項４】
前記付勢部材は、
前記基板を付勢する第３の弾性部と、
前記第３の弾性部に設けられ、前記基板と当接する当接部と
を有することを特徴とすることを特徴とする請求項１に記載の露光装置。
【請求項５】
前記当接部は、前記基板に向けて突出していることを特徴とする請求項２から４のいずれか１項に記載の露光装置。
【請求項６】
前記付勢部材は、前記第１の弾性部と前記第２の弾性部との間に形成された接合部を有し、
前記接合部は、前記付勢部材の短手方向において前記第２の弾性部よりも狭いことを特徴とする請求項１から５のいずれか１項に記載の露光装置。
【請求項７】
前記接合部は、前記第２の弾性部よりも厚いことを特徴とする請求項６に記載の露光装置。
【請求項８】
前記付勢部材は、前記第１の弾性部に形成されたリブを有することを特徴とする請求項１から７のいずれか１項に記載の露光装置。
【請求項９】
前記第１の弾性部は、前記付勢部材の短手方向に対して傾斜していることを特徴とする請求項１から８のいずれか１項に記載の露光装置。
【請求項１０】
前記付勢部材は、前記付勢部材の短手方向における前記第１の弾性部の端部に形成された突起を有し、
前記保持部材は、前記突起と係合する係合部を有する
ことを特徴とする請求項１から９のいずれか１項に記載の露光装置。
【請求項１１】
請求項１から１０のいずれか１項に記載の露光装置を備えた画像形成装置。
【請求項１２】
複数の発光素子と、前記複数の発光素子が配置される基板と、前記発光素子からの光を集光する光学系と、前記基板及び前記光学系を保持する保持部材と、前記基板を付勢する付勢部材とを有する露光装置の製造方法であって、
前記付勢部材を前記基板に向けて押し込む工程と、
前記付勢部材を、前記付勢部材の幅が長手方向において小さくなるように撓ませ、前記保持部材に係合させる工程と
を有する露光装置の製造方法。
【発明の詳細な説明】
【技術分野】
【０００１】
本発明は、露光装置及び画像形成装置に関する。
【背景技術】
【０００２】
一般に、プリンタ、複写機、ファクシミリ装置、複合機等の画像形成装置において、例えば、プリンタで用いられている露光装置（例えば、ＬＥＤ（発光ダイオード）ヘッド）は、帯電された感光体ドラム上に光を照射し、静電潜像を形成する。例えば、特許文献１には、ＬＥＤアレイが搭載された基板と、基板を支持するホルダ（レンズアレイホルダ）と、ＬＥＤアレイから放射される光を収束させるロッドレンズアレイと、基板をホルダに押し付ける付勢部材としてのベース等を備えた露光装置が開示されている。この露光装置では、ＬＥＤアレイから放射された光が、ロッドレンズアレイを通過して収束され、感光体ドラムの表面が露光される。これにより、感光体ドラムの表面に静電潜像が形成される。
【先行技術文献】
【特許文献】
【０００３】
【特許文献１】特開２００９−７３０４１号公報
【発明の概要】
【発明が解決しようとする課題】
【０００４】
特許文献１に開示された露光装置では、ベースの幅が短手方向において小さくなるようにベースを撓ませた状態で、このベースをホルダに係合させる。これにより、ベースが基板を付勢するので、ホルダに対して基板を固定させることができる。しかしながら、ホルダの剛性が低い場合、ベースをホルダに係合させるときにホルダの開口部が短手方向外側に広がりやすい。この場合、ホルダの開口部が短手方向内側に戻る際に、ホルダ内に挿入された基板が短手方向に変位しやすいという問題がある。
【０００５】
本発明は、上記の問題を解決するためになされたものであり、付勢部材をホルダに係合させる際に、短手方向への基板の変位を抑制することが可能な露光装置を提供することを目的とする。
【課題を解決するための手段】
【０００６】
本発明の露光装置は、複数の発光素子と、前記複数の発光素子が配置される基板と、前記発光素子からの光を集光する光学系と、前記基板及び前記光学系を保持する保持部材と、前記保持部材と係合し、前記基板を付勢する付勢部材とを有し、前記付勢部材は、前記付勢部材が前記保持部材と係合するために弾性変形する第１の弾性部と、前記付勢部材が前記保持部材と係合したときに前記基板を付勢する第２の弾性部とを有することを特徴とする。
【発明の効果】
【０００７】
本発明によれば、付勢部材をホルダに係合させる際に、基板の短手方向への変位を抑制することができる。
【図面の簡単な説明】
【０００８】
【図１】本発明の実施の形態１に係る露光装置としてのＬＥＤヘッドを有する画像形成装置の構成を概略的に示す断面図である。
【図２】ＬＥＤヘッドのおもて側の構造を概略的に示す斜視図である。
【図３】ＬＥＤヘッドの裏側の構造を概略的に示す斜視図である。
【図４】ＬＥＤヘッドの内部構造を概略的に示す断面図である。
【図５】（ａ）は、付勢部材の構造を概略的に示す平面図であり、（ｂ）は、付勢部材の構造を概略的に示す正面図であり、（ｃ）は、付勢部材の構造を概略的に示す下面図である。
【図６】ＬＥＤヘッドの製造工程を示す図である。
【図７】ＬＥＤヘッドの製造工程を示す図である。
【図８】付勢部材を基板に向けて押し込む際に、付勢部材が変形する方向を示す図である。
【図９】付勢部材がホルダと係合している状態のＬＥＤヘッドの構造を概略的に示す正面図である。
【図１０】（ａ）は、変形例１に係るＬＥＤヘッドの付勢部材の構造を概略的に示す平面図であり、（ｂ）は、変形例１に係るＬＥＤヘッドの付勢部材の構造を概略的に示す斜視図であり、（ｃ）は、変形例１に係るＬＥＤヘッドの付勢部材の構造を概略的に示す正面図であり、（ｄ）は、変形例１に係るＬＥＤヘッドの付勢部材の構造を概略的に示す側面図である。
【図１１】（ａ）は、変形例２に係るＬＥＤヘッドの付勢部材の構造を概略的に示す平面図であり、（ｂ）は、変形例２に係るＬＥＤヘッドの付勢部材の構造を概略的に示す斜視図であり、（ｃ）は、変形例２に係るＬＥＤヘッドの付勢部材の構造を概略的に示す正面図であり、（ｄ）は、変形例２に係るＬＥＤヘッドの付勢部材の構造を概略的に示す側面図である。
【図１２】（ａ）は、変形例３に係るＬＥＤヘッドの付勢部材の構造を概略的に示す平面図であり、（ｂ）は、変形例３に係るＬＥＤヘッドの付勢部材の構造を概略的に示す斜視図であり、（ｃ）は、変形例３に係るＬＥＤヘッドの付勢部材の構造を概略的に示す正面図であり、（ｄ）は、変形例３に係るＬＥＤヘッドの付勢部材の構造を概略的に示す側面図である。
【図１３】変形例３に係るＬＥＤヘッドのホルダの構造を概略的に示す斜視図である。
【図１４】（ａ）は、変形例４に係るＬＥＤヘッドの付勢部材の構造を概略的に示す平面図であり、（ｂ）は、変形例４に係るＬＥＤヘッドの付勢部材の構造を概略的に示す斜視図であり、（ｃ）は、変形例４に係るＬＥＤヘッドの付勢部材の構造を概略的に示す正面図であり、（ｄ）は、変形例４に係るＬＥＤヘッドの付勢部材の構造を概略的に示す側面図である。
【図１５】（ａ）は、実施の形態２に係るＬＥＤヘッドの付勢部材の裏側の構造を概略的に示す斜視図であり、（ｂ）は、実施の形態２に係るＬＥＤヘッドの付勢部材のおもて側の構造を概略的に示す斜視図である。
【図１６】付勢部の構造を概略的に示す平面図である。
【図１７】付勢部材がホルダと係合している状態の実施の形態２に係るＬＥＤヘッドの構造を概略的に示す正面図である。
【発明を実施するための形態】
【０００９】
《実施の形態１》
〈画像形成装置１の構成〉
本発明の実施の形態１に係る露光装置としてのＬＥＤヘッド１３ＢＫ，１３Ｙ，１３Ｍ，１３Ｃを有する画像形成装置１の構成を以下に説明する。各図に示されるＸＹＺ直交座標系において、Ｘ方向（Ｘ軸方向）は、ＬＥＤヘッド１３ＢＫ，１３Ｙ，１３Ｍ，１３Ｃ、ホルダ１０３、及び付勢部材１０５の長手方向を示し、Ｙ方向（Ｙ軸方向）は、ＬＥＤヘッド１３ＢＫ，１３Ｙ，１３Ｍ，１３Ｃ、ホルダ１０３、及び付勢部材１０５の短手方向を示し、Ｚ方向（Ｚ軸方向）は、Ｘ方向及びＹ方向に直交する方向を示す。
【００１０】
図１は、本発明の実施の形態１に係る露光装置としてのＬＥＤヘッド１３ＢＫ，１３Ｙ，１３Ｍ，１３Ｃを有する画像形成装置１の構成を概略的に示す断面図である。
【００１１】
画像形成装置１は、例えば、電子写真方式を用いた電子写真カラープリンタである。
画像形成装置１は、画像形成ユニット１０Ｂｋ,１０Ｙ，１０Ｍ，１０Ｃと、転写ユニット２０と、給紙機構３０（給紙ユニット）と、定着器４０（定着ユニット）とを有する。ただし、画像形成ユニットの数は、４つに限定されない。
【００１２】
画像形成ユニット１０Ｂｋ,１０Ｙ，１０Ｍ，１０Ｃは、４つの独立した画像形成部を構成する。画像形成ユニットは、用紙Ｐの搬送方向（用紙Ｐの挿入側から排出側に向かう矢印ｅ方向）に沿って画像形成ユニット１０Ｂｋ,１０Ｙ，１０Ｍ，１０Ｃの順に配列されている。
【００１３】
画像形成ユニット１０Ｂｋ,１０Ｙ，１０Ｍ，１０Ｃは、像担持体としての感光体ドラム１１Ｂｋ，１１Ｙ，１１Ｍ，１１Ｃと、帯電器としての帯電ローラ１２Ｂｋ，１２Ｙ，１２Ｍ，１２Ｃと、露光装置としてのＬＥＤヘッド１３Ｂｋ，１３Ｙ，１３Ｍ，１３Ｃと、現像器（現像剤担持体）としての現像ローラ１４Ｂｋ，１４Ｙ，１４Ｍ，１４Ｃと、現像剤供給部材としてのトナー供給ローラ１５Ｂｋ，１５Ｙ，１５Ｍ，１５Ｃと、現像剤規制部材としての現像ブレード１６Ｂｋ，１６Ｙ，１６Ｍ，１６Ｃと、現像剤貯蔵部としてのトナーカートリッジ１７Ｂｋ，１７Ｙ，１７Ｍ，１７Ｃとをそれぞれ有する。
【００１４】
画像形成ユニット１０Ｂｋ,１０Ｙ，１０Ｍ，１０Ｃは、電子写真方式を用いて、それぞれ、ブラック色、イエロー色、マゼンタ色、及びシアン色の可視像である画像（例えば、現像剤像としてのトナー画像）を用紙Ｐ上に形成する。
【００１５】
記録媒体として、用紙Ｐの他に、ＯＨＰ（Ｏｖｅｒｈｅａｄ  Ｐｒｏｊｅｃｔｏｒ）用紙、封筒、複写紙、特殊紙などを使用することができる。
【００１６】
帯電ローラ１２Ｂｋ，１２Ｙ，１２Ｍ，１２Ｃは、それぞれ、感光体ドラム１１Ｂｋ，１１Ｙ，１１Ｍ，１１Ｃの表面を均一に帯電させる。
【００１７】
ＬＥＤヘッド１３Ｂｋ，１３Ｙ，１３Ｍ，１３Ｃは、それぞれ、感光体ドラム１１Ｂｋ，１１Ｙ，１１Ｍ，１１Ｃの上方において、感光体ドラム１１Ｂｋ，１１Ｙ，１１Ｍ，１１Ｃとそれぞれ対向するように固定されている。ＬＥＤヘッド１３Ｂｋ，１３Ｙ，１３Ｍ，１３Ｃは、露光を行う。例えば、ＬＥＤヘッド１３Ｂｋ，１３Ｙ，１３Ｍ，１３Ｃは、それぞれ、画像データに従ってＬＥＤを発光させ、感光体ドラム１１Ｂｋ，１１Ｙ，１１Ｍ，１１Ｃの表面上に静電潜像を形成する。
【００１８】
現像ローラ１４Ｂｋ，１４Ｙ，１４Ｍ，１４Ｃは、それぞれ、感光体ドラム１１Ｂｋ，１１Ｙ，１１Ｍ，１１Ｃに、現像剤としてのトナーを供給し、トナー画像を形成する。
【００１９】
トナー供給ローラ１５Ｂｋ，１５Ｙ，１５Ｍ，１５Ｃは、現像ローラ１４Ｂｋ，１４Ｙ，１４Ｍ，１４Ｃの表面にそれぞれ圧接されている。トナー供給ローラ１５Ｂｋ，１５Ｙ，１５Ｍ，１５Ｃは、それぞれ、トナーカートリッジ１７Ｂｋ，１７Ｙ，１７Ｍ，１７Ｃに貯蔵されたトナーを、現像ローラ１４Ｂｋ，１４Ｙ，１４Ｍ，１４Ｃに供給する。
【００２０】
現像ブレード１６Ｂｋ，１６Ｙ，１６Ｍ，１６Ｃは、現像ローラ１４Ｂｋ，１４Ｙ，１４Ｍ，１４Ｃにそれぞれ圧接されている。現像ブレード１６Ｂｋ，１６Ｙ，１６Ｍ，１６Ｃは、それぞれ、現像ローラ１４Ｂｋ，１４Ｙ，１４Ｍ，１４Ｃの表面上のトナーを薄層化する。
【００２１】
転写ユニット２０は、感光体ドラム１１Ｂｋ，１１Ｙ，１１Ｍ，１１Ｃの下方に固定されている。転写ユニット２０は、転写装置としての転写ローラ２１Ｂｋ，２１Ｙ，２１Ｍ，２１Ｃと、搬送部材としての搬送ベルト２２とを有する。搬送ベルト２２は、例えば、ローラによって回転自在に支持されており、用紙Ｐを矢印ｅで示される方向に搬送する。
【００２２】
転写ローラ２１Ｂｋ，２１Ｙ，２１Ｍ，２１Ｃは、搬送ベルト２２を介して感光体ドラム１１Ｂｋ，１１Ｙ，１１Ｍ，１１Ｃと対向するように配置されている。転写ローラ２１Ｂｋ，２１Ｙ，２１Ｍ，２１Ｃは、用紙の極性がトナーの極性と逆になるように用紙Ｐの表面を帯電させ、感光体ドラム１１Ｂｋ，１１Ｙ，１１Ｍ，１１Ｃ上のトナー像を、用紙Ｐにそれぞれ転写する。
【００２３】
給紙機構３０は、例えば、画像形成装置１内の下部に配置されている。給紙機構３０は、搬送ベルト２２に向けて用紙Ｐを供給する。給紙機構３０は、ホッピングローラ３１と、レジストローラ３２と、媒体収容部としての用紙収容カセット３３と、用紙色測色部３４とを有する。
【００２４】
用紙色測色部３４は、用紙収容カセット３３から供給された用紙Ｐの色を検出する。
【００２５】
定着器４０は、搬送ベルト２２よりも用紙Ｐの搬送方向における下流側に配置されている。定着器４０は、加熱ローラ４１及びバックアップローラ４２を有する。定着器４０は、用紙Ｐ上に転写されたトナーを、加熱及び加圧することによって、用紙Ｐ上に定着させる。
【００２６】
さらに、画像形成装置１内には、用紙Ｐを画像形成装置１の外部に排出するための排出ローラ及びピンチローラなどが備えられていてもよい。さらに、画像形成装置１の上部に、画像形成装置１の内部から排出された用紙Ｐが積載される用紙スタッカが形成されていてもよい。
【００２７】
〈露光装置の構成〉
露光装置としてのＬＥＤヘッド１３Ｂｋ，１３Ｙ，１３Ｍ，１３Ｃの構成を以下に説明する。
図２は、ＬＥＤヘッド１３のおもて側の構造を概略的に示す斜視図である。
図３は、ＬＥＤヘッド１３の裏側の構造を概略的に示す斜視図である。
図４は、ＬＥＤヘッド１３の内部構造を概略的に示す断面図である。なお、図４には、付勢部材１０５がホルダ１０３から取り外された状態の例が示されている。
【００２８】
本実施の形態では、ＬＥＤヘッド１３Ｂｋ，１３Ｙ，１３Ｍ，１３Ｃは、互いに同じ構造を有するので、ＬＥＤヘッド１３Ｂｋ，１３Ｙ，１３Ｍ，１３Ｃの各々をＬＥＤヘッド１３と称する。ただし、ＬＥＤヘッド１３Ｂｋ，１３Ｙ，１３Ｍ，１３Ｃは、互いに異なる構造を有してもよく、ＬＥＤヘッド１３Ｂｋ，１３Ｙ，１３Ｍ，１３Ｃのうちの少なくとも１つが、ＬＥＤヘッド１３の構造を有していればよい。
【００２９】
露光装置としてのＬＥＤヘッド１３は、複数の発光素子としてのＬＥＤアレイ１０１と、基板１０２と、保持部材としてのホルダ１０３と、光学系としてのロッドレンズアレイ１０４と、少なくとも１つの付勢部材１０５とを有する。本実施の形態では、ＬＥＤヘッド１３は、複数の付勢部材１０５を有する。
【００３０】
ＬＥＤアレイ１０１は、基板１０２上（おもて側）において長手方向に配置されている。ロッドレンズアレイ１０４は、ＬＥＤアレイ１０１からの光を集光する。
【００３１】
ホルダ１０３は、開口部１０３ａと、基板１０２を支持する支持部１０３ｂ（当接部ともいう）と、付勢部材１０５と係合する係合部１０３ｃとを有する。ホルダ１０３は、基板１０２及びロッドレンズアレイ１０４を保持する。
【００３２】
開口部１０３ａは、ホルダ１０３の中央部（Ｙ方向における中央）において、長手方向に沿って形成されている。ホルダ１０３は、例えば、金型を用いて、液晶ポリマーを成形することによって作製される。
【００３３】
支持部１０３ｂは、基板１０２とロッドレンズアレイ１０４とのＺ方向の間隔が一定となるように、高い平面度を持つ。
【００３４】
図４に示されるように、係合部１０３ｃは、ホルダ１０３のＹ方向における両側（両側面）に形成されている。係合部１０３ｃは、Ｘ方向に対して傾斜しているスロープ２０１と、Ｘ方向に窪んでいる凹部２０２とを有する。スロープ２０１は、付勢部材１０５が、ホルダ１０３の開口部１０３ａ内に挿入されるときに、付勢部材１０５（具体的には、後述するアーム３０２）をガイドする。凹部２０２は、後述するアーム３０２と係合する。
【００３５】
Ｘ方向において、付勢部材１０５の突起３０４の位置と、支持部１０３ｂの位置が一致するように、係合部１０３ｃの位置が定められている。
【００３６】
係合部１０３ｃ及び支持部１０３ｂの数は、ＬＥＤヘッド１３によって形成される静電潜像の品質を保つため、基板１０２のＺ方向における反りを矯正可能な数とすることが望ましい。
【００３７】
また、基板１０２のＺ方向における反りを矯正するため、複数の支持部１０３ｂは、Ｘ方向において等間隔に形成されていることが望ましい。本実施の形態では、基板１０２のＸ方向における長さが２２４．８ｍｍであり、Ｚ方向における厚さが１ｍｍである。この場合において、Ｘ方向において６７ｍｍ間隔で４個の支持部１０３ｂが形成されている。
【００３８】
基板１０２は、例えば、ガラスエポキシ基板である。基板１０２のおもて側には、ＬＥＤアレイ１０１が配置されている。基板１０２の裏側には、画像形成装置１と電気的に接続するためのコネクタ１０８が備えられている。さらに、基板１０２の裏側が露出されることを防ぐために、基板１０２の裏側はマイラーシート１０６によって覆われる。マイラーシート１０６は、絶縁性を有する樹脂によって形成されたシートでもよい。基板１０２とホルダ１０３との隙間は、異物の侵入を防ぐため、シリコン樹脂１０７によって封止されている。
【００３９】
シリコン樹脂１０７は、隙間の封止以外に、基板１０２及びマイラーシート１０６をホルダ１０３に接着させる接着剤の役割も果たす。
【００４０】
基板１０２は、付勢部材１０５によってＺ方向に付勢されており、ホルダ１０３の複数の支持部１０３ｂに当接している。
【００４１】
半田付けによってコネクタ１０８を基板１０２に実装する際、熱によって基板１０２が膨張した状態でコネクタ１０８が基板１０２に実装される。したがって、コネクタ１０８の近傍の応力は、基板１０２における他の部分の応力と異なっているため、Ｚ方向における基板１０２の反りが発生しやすい。
【００４２】
さらに、基板１０２とコネクタ１０８とは、互いに物性が異なるため、コネクタ１０８の近傍では、温度変化及び湿度変化による膨張差を起因とする基板１０２の反りが発生しやすい。したがって、付勢部材１０５による付勢箇所（突起３０４の位置）よりもＸ方向において外側にコネクタ１０８が位置している場合、コネクタ１０８を基点として、コネクタ１０８よりも外側の部分においてＺ方向の大きな反りが生じる可能性がある。
【００４３】
また、コネクタ１０８に対してケーブルを抜き差しする際に、基板１０２にＺ方向の力が加わり、付勢部材１０５による付勢箇所を支点としてＺ方向への基板１０２の反りが発生する可能性がある。
【００４４】
よって、Ｘ方向においてコネクタ１０８よりも外側に、少なくとも１つの付勢箇所、すなわち、係合部１０３ｃが形成されている必要がある。
【００４５】
図５（ａ）は、付勢部材１０５の構造を概略的に示す平面図である。
図５（ｂ）は、付勢部材１０５の構造を概略的に示す正面図である。
図５（ｃ）は、付勢部材１０５の構造を概略的に示す下面図である。
【００４６】
付勢部材１０５は、第１の弾性部としてのアーム３０２と、平板状に形成された第２の弾性部としてのベース３０１と、ベース３０１とアーム３０２との間に形成された接合部３０３と、ベース３０１の中央に形成された当接部としての突起３０４とを有する。付勢部材１０５は、ホルダ１０３と係合し、基板１０２を付勢する。
【００４７】
ベース３０１は、付勢部材１０５がホルダ１０３と係合したときに基板１０２を付勢する。アーム３０２は、付勢部材１０５がホルダ１０３と係合するために弾性変形する。ホルダ１０３内部のＹ方向における幅の範囲でアーム３０２の可動域を確保するため、Ｙ方向において接合部３０３の幅は、ベース３０１よりも狭い。突起３０４は、ベース３０１の表面に設けられている。突起３０４は、基板１０２に向けて突出しており、付勢部材１０５がホルダ１０３と係合したときに基板１０２と当接する。
【００４８】
付勢部材１０５は、例えば、金型を用いて、弾性及び可撓性を有する材料（例えば、ポリカーボネート）を成形することによって作製される。付勢部材１０５は、ポリカーボネート以外の樹脂で形成されていてもよい。付勢部材１０５を用いて基板１０２を付勢する方法は後述する。
【００４９】
付勢部材１０５の、基板１０２への付勢力は、ベース３０１のＹ方向における幅と、突起３０４のＺ方向における長さとにより調整する。例えば、ホルダ１０３に取り付けられる複数の付勢部材１０５のうち、コネクタ１０８の近傍に取り付けられる付勢部材１０５の突起３０４をＺ方向に長く形成する。これにより、コネクタ１０８に接続されるケーブルの抜き差しによって生じるＺ方向の力に対する基板１０２への付勢力を強くすることができる。
【００５０】
ロッドレンズアレイ１０４は、ＬＥＤアレイ１０１から放射される光を収束させる収束レンズである。ロッドレンズアレイ１０４は、ホルダ１０３の開口部１０３ａ内に挿入されており、ホルダ１０３によって支持されている。
【００５１】
ＬＥＤアレイ１０１とロッドレンズアレイ１０４との間の距離（入射距離）がロッドレンズアレイ１０４の特性上最適な距離になるように、ロッドレンズアレイ１０４がホルダ１０３に固定されている。入射距離とは、ＬＥＤアレイ１０１の表面（光放射位置）から、ＬＥＤアレイ１０１に対向するロッドレンズアレイ１０４の表面（光入射位置）までの距離である。
【００５２】
ホルダ１０３内に異物が混入することを防止するため、及び、ホルダ１０３とロッドレンズアレイ１０４との間の隙間から光が漏れることを防止するために、ホルダ１０３とロッドレンズアレイ１０４との間の隙間は、シリコン樹脂１０７によって封止されている。
【００５３】
ホルダ１０３は、アルミダイキャストで作製されてもよい。ホルダ１０３の他の作製方法として、アウトサート成形によって樹脂を板金に一体化させてもよく、他の方法を用いて樹脂を成形してもよい。
【００５４】
〈ＬＥＤヘッド１３の製造方法〉
ＬＥＤヘッド１３の製造方法について説明する。
まず、ロッドレンズアレイ１０４を、ホルダ１０３内に固定する。このとき、支持部１０３ｂに対して最適なＺ方向位置にロッドレンズアレイ１０４を固定する。
【００５５】
ＬＥＤアレイ１０１が固定された基板１０２を、ロッドレンズアレイ１０４とＬＥＤアレイ１０１とが対向するように開口部１０３ａからホルダ１０３内に挿入する。
【００５６】
ホルダ１０３内において、基板１０２の位置決めを行う。この場合、例えば、ホルダ１０３のＸ方向における端部に、基板１０２と嵌合させる嵌合部（例えば、ピン）を予め形成し、基板１０２のＸ方向における端部に、ホルダ１０３のピンと嵌合させる嵌合部（例えば、穴）を予め形成しておく。これにより、基板１０２をホルダ１０３に嵌合させることができ、ホルダ１０３内における基板１０２のＸ方向及びＹ方向の位置を規制することができる。
【００５７】
次に、基板１０２にマイラーシート１０６を被せる。マイラーシート１０６は、開口部１０３ａの形状に合わせて形成することが望ましい。
【００５８】
次に、基板１０２とホルダ１０３との隙間をシリコン樹脂１０７によって封止する。さらに、コネクタ１０８の周囲をシリコン樹脂１０７によって封止する。
【００５９】
さらに、付勢部材１０５をホルダ１０３の係合部１０３ｃに係合させ、基板１０２をＺ方向に付勢する。これにより、基板１０２のＺ方向における反りが矯正される。
【００６０】
上記の各工程により、ＬＥＤヘッド１３を製造することができる。
【００６１】
付勢部材１０５が係合部１０３ｃと係合するときの動作、及び基板１０２への付勢方法について以下に具体的に説明する。
図６及び図７は、ＬＥＤヘッド１３の製造工程を示す図である。
図８は、付勢部材１０５を基板１０２に向けて押し込む際に、付勢部材１０５が変形する方向を示す図である。
図９は、付勢部材１０５がホルダ１０３（具体的には、係合部１０３ｃ）と係合している状態のＬＥＤヘッド１３の構造を概略的に示す正面図である。
【００６２】
図６に示されるように、付勢部材１０５のＸ方向における長さをＬ１（長手方向における付勢部材１０５の幅ともいう）とし、２つのスロープ２０１間の長さ（最大長さ）をＬ２（長手方向における２つのスロープ２０１間の幅ともいう）とし、２つの凹部２０２間の長さ（最大長さ）をＬ３（長手方向における２つの凹部２０２間の幅ともいう）としたとき、ＬＥＤヘッド１３は、Ｌ３＜Ｌ１＜Ｌ２の式を満たす。例えば、Ｌ１＝２０ｍｍであり、Ｌ２＝２１ｍｍであり、Ｌ３＝１９．７ｍｍである。
【００６３】
図６及び図７に示されるように、Ｘ方向におけるアーム３０２及びスロープ２０１の位置が概ね一致するように、係合部１０３ｃの上部に付勢部材１０５を置き、ベース３０１のＸ方向における両側又は接合部３０３を基板１０２に向けて押す。このとき、付勢部材１０５の幅Ｌ１よりも２つのスロープ２０１間の幅Ｌ２の方が大きいので、付勢部材１０５の幅Ｌ１に公差があっても、アーム３０２をスロープ２０１に架けることができる。
【００６４】
アーム３０２がスロープ２０１に架けられた状態で、付勢部材１０５を基板１０２に向けて押し込むと、図８に示されるように、スロープ２０１に沿ってアーム３０２（Ｘ方向における付勢部材１０５の両側）がＸ方向に撓む。
【００６５】
付勢部材１０５の突起３０４がマイラーシート１０６に到達した段階で付勢部材１０５をさらに押し込むと、付勢部材１０５はＺ方向に撓む。
【００６６】
付勢部材１０５をさらに押し込み、付勢部材１０５の幅がＸ方向において小さくなるように付勢部材１０５を撓ませることにより、アーム３０２がスロープ２０１の下に到達し、付勢部材１０５（特に、アーム３０２）のＸ方向における撓みが解放され、アーム３０２が凹部２０２と係合する。これにより、付勢部材１０５をホルダ１０３と係合させることができる。
【００６７】
このとき、Ｘ方向における付勢部材１０５の幅Ｌ１が、２つの凹部２０２間の幅Ｌ３がよりも僅かに大きいので、図９に示されるように、アーム３０２が凹部２０２と係合している状態において付勢部材１０５（特に、アーム３０２）のＸ方向における撓みが完全に解放されない。したがって、アーム３０２は、凹部２０２をＸ方向に押し付けながら係止される。これにより、Ｘ方向における付勢部材１０５の幅が２つの凹部２０２間の幅Ｌ３と一致し、付勢部材１０５が係合部１０３ｃで固定される。
【００６８】
図９に示されるように、付勢部材１０５（具体的には、アーム３０２）がホルダ１０３（具体的には、係合部１０３ｃ）と係合することにより、突起３０４がマイラーシート１０６を介して基板１０２を付勢する状態でベース３０１がＺ方向に撓む。すなわち、ベース３０１は、基板１０２と突起３０４とが当接することで弾性変形する。言い換えると、ベース３０１は、基板１０２と突起３０４とが当接することでベース３０１の幅（Ｘ方向における幅）がＸ方向において小さくなるように撓む。
【００６９】
上記のように、付勢部材１０５によって基板１０２を付勢するときに、付勢部材１０５がＹ方向に撓まないので、付勢部材１０５によってホルダ１０３の内壁に力（Ｙ方向の力）が加わらない。したがって、基板１０２をＹ方向に動かす力が生じないので、基板１０２のＹ方向の変位（位置ずれ）を防止することができる。これにより、ＬＥＤヘッド１３の製造工程において、基板１０２のＹ方向の位置を調整する工程を削減することができる。
【００７０】
《実施の形態１の変形例１》
図１０（ａ）は、変形例１に係るＬＥＤヘッドの付勢部材１０５ａの構造を概略的に示す平面図である。
図１０（ｂ）は、変形例１に係るＬＥＤヘッドの付勢部材１０５ａの構造を概略的に示す斜視図である。
図１０（ｃ）は、変形例１に係るＬＥＤヘッドの付勢部材１０５ａの構造を概略的に示す正面図である。
図１０（ｄ）は、変形例１に係るＬＥＤヘッドの付勢部材１０５ａの構造を概略的に示す側面図である。
【００７１】
変形例１に係るＬＥＤヘッドの付勢部材１０５ａは、アーム３０２ａに設けられたリブ３０５を有する。この点で、変形例１における付勢部材１０５ａは、実施の形態１における付勢部材１０５と異なり、その他の構造は互いに同じである。リブ３０５は、Ｚ方向に突出している。図１０（ｂ）に示される例では、リブ３０５は、突起３０４の突出方向（＋Ｚ方向）とは反対方向（−Ｚ方向）に突出している。
【００７２】
変形例１によれば、アーム３０２ａにリブ３０５が形成されているので、アーム３０２ａの強度が増し、アーム３０２ａが曲がっても折れにくいという効果を得ることができる。
【００７３】
《実施の形態１の変形例２》
図１１（ａ）は、変形例２に係るＬＥＤヘッドの付勢部材１０５ｂの構造を概略的に示す平面図である。
図１１（ｂ）は、変形例２に係るＬＥＤヘッドの付勢部材１０５ｂの構造を概略的に示す斜視図である。
図１１（ｃ）は、変形例２に係るＬＥＤヘッドの付勢部材１０５ｂの構造を概略的に示す正面図である。
図１１（ｄ）は、変形例２に係るＬＥＤヘッドの付勢部材１０５ｂの構造を概略的に示す側面図である。
【００７４】
変形例２に係るＬＥＤヘッドの付勢部材１０５ｂでは、アーム３０２ｂがＹ方向に対して傾斜している。さらに、ベース３０１ｂのＸ方向における両端部は、アーム３０２ｂの延在方向に合わせて傾斜している。これらの点で、変形例２における付勢部材１０５ｂは、実施の形態１における付勢部材１０５と異なり、その他の構造は互いに同じである。
【００７５】
変形例２によれば、アーム３０２ｂが実施の形態１におけるアーム３０２よりも長いので、アーム３０２ｂの可動域を広げることができる。これにより、アーム３０２ｂを大きく曲げても折れにくいという効果を得ることができる。
【００７６】
《実施の形態１の変形例３》
図１２（ａ）は、変形例３に係るＬＥＤヘッドの付勢部材１０５ｃの構造を概略的に示す平面図である。
図１２（ｂ）は、変形例３に係るＬＥＤヘッドの付勢部材１０５ｃの構造を概略的に示す斜視図である。
図１２（ｃ）は、変形例３に係るＬＥＤヘッドの付勢部材１０５ｃの構造を概略的に示す正面図である。
図１２（ｄ）は、変形例３に係るＬＥＤヘッドの付勢部材１０５ｃの構造を概略的に示す側面図である。
図１３は、変形例３に係るＬＥＤヘッドのホルダ５０３の構造を概略的に示す斜視図である。
【００７７】
変形例３に係るＬＥＤヘッドの付勢部材１０５ｃは、Ｙ方向におけるアーム３０２ｃの端部に設けられた突起３０６を有する。ホルダ５０３は、凹部５０３ａ及びスロープ５０３ｂを有する係合部５０３ｃを有する。これらの点で、変形例３における付勢部材１０５ｃ及びホルダ５０３は、実施の形態１における付勢部材１０５及びホルダ１０３と異なり、その他の構造は互いに同じである。
【００７８】
突起３０６は、Ｚ方向に突出している。図１２（ｂ）に示される例では、突起３０６は、突起３０４の突出方向（＋Ｚ方向）とは反対方向（−Ｚ方向）に突出している。スロープ５０３ｂは、ホルダ５０３のＹ方向における両側に、突起３０６と係合するように形成されている。付勢部材１０５ｃがホルダ５０３と係合したときに、突起３０６は、凹部５０３ａ及びスロープ５０３ｂによって構成された係合部５０３ｃと係合する。具体的には、突起３０６は、スロープ５０３ｂと係合する。
【００７９】
変形例３によれば、ホルダ５０３に外部からの衝撃が加わった場合でも、突起３０６がスロープ５０３ｂと係合しているので、付勢部材１０５ｃがホルダ５０３から外れることを防止することができる。言い換えると、衝撃によってホルダ５０３が瞬間的に変形し、Ｙ方向に開いた場合でも、付勢部材１０５ｃがホルダ５０３から外れることを防止することができる。
【００８０】
《実施の形態１の変形例４》
図１４（ａ）は、変形例４に係るＬＥＤヘッドの付勢部材１０５ｄの構造を概略的に示す平面図である。
図１４（ｂ）は、変形例４に係るＬＥＤヘッドの付勢部材１０５ｄの構造を概略的に示す斜視図である。
図１４（ｃ）は、変形例４に係るＬＥＤヘッドの付勢部材１０５ｄの構造を概略的に示す正面図である。
図１４（ｄ）は、変形例４に係るＬＥＤヘッドの付勢部材１０５ｄの構造を概略的に示す側面図である。
【００８１】
変形例４に係るＬＥＤヘッドの付勢部材１０５ｄでは、接合部３０３ｄのＹ方向における幅が実施の形態１に係るＬＥＤヘッド１３における接合部３０３のＹ方向における幅よりも小さく形成されており、接合部３０３ｄのＺ方向における幅が接合部３０３のＺ方向における幅よりも大きく形成されている。この点で、変形例４における付勢部材１０５ｄは、実施の形態１における付勢部材１０５と異なり、その他の構造は互いに同じである。
【００８２】
接合部３０３ｄは、ベース３０１よりも厚い。具体的には、接合部３０３ｄのＺ方向における幅は、ベース３０１のＺ方向における幅よりも大きい。接合部３０３ｄは、Ｚ方向に突出している。図１４に示される例では、接合部３０３ｄは、突起３０４の突出方向（＋Ｚ方向）とは反対方向（−Ｚ方向）に突出している。さらに、接合部３０３ｄは、アーム３０２よりも厚いことが望ましい。図１４に示される例では、接合部３０３ｄは、アーム３０２のＺ方向における幅よりも大きい。
【００８３】
変形例４によれば、接合部３０３ｄの強度を、実施の形態１に係るＬＥＤヘッド１３における接合部３０３よりも高めることができる。これにより、接合部３０３ｄの強度を維持しながら、Ｘ方向におけるベース３０１からアーム３０２までの長さを確保することができる。
【００８４】
〈画像形成装置１の動作〉
画像形成装置１の動作を以下に説明する。
【００８５】
画像形成装置１における画像形成動作が開始されると、用紙収容カセット３３内の用紙Ｐが、ホッピングローラ３１によってレジストローラ３２に向けて送り出される。続いて、用紙Ｐは、レジストローラ３２から搬送ベルト２２に送られ、搬送ベルト２２の回転に伴って画像形成部（画像形成ユニット１０Ｂｋ,１０Ｙ，１０Ｍ，１０Ｃ）へ搬送される。
【００８６】
画像形成ユニット１０Ｂｋ,１０Ｙ，１０Ｍ，１０Ｃにおいて、感光体ドラム１１Ｂｋ，１１Ｙ，１１Ｍ，１１Ｃの表面は、それぞれ帯電ローラ１２Ｂｋ，１２Ｙ，１２Ｍ，１２Ｃによって帯電され、ＬＥＤヘッド１３Ｂｋ，１３Ｙ，１３Ｍ，１３Ｃの発光によって静電潜像が形成される。
【００８７】
現像ローラ１４Ｂｋ，１４Ｙ，１４Ｍ，１４Ｃ上で薄層化されたトナーは、それぞれ、感光体ドラム１１Ｂｋ，１１Ｙ，１１Ｍ，１１Ｃの表面に静電気的に引き付けられる。これにより、感光体ドラム１１Ｂｋ，１１Ｙ，１１Ｍ，１１Ｃ上に形成された静電潜像に基づく各色のトナー像が、感光体ドラム１１Ｂｋ，１１Ｙ，１１Ｍ，１１Ｃ上に形成される。
【００８８】
各色のトナー像は、転写ローラ２１Ｂｋ，２１Ｙ，２１Ｍ，２１Ｃによって用紙Ｐ上に転写される。これにより、用紙Ｐ上にカラーのトナー像が形成される。
【００８９】
転写処理後に感光体ドラム１１Ｂｋ，１１Ｙ，１１Ｍ，１１Ｃ上に残留したトナーは、例えば、クリーニング装置によって除去することができる。
【００９０】
トナー像が形成された用紙Ｐは、定着器４０に送られる。定着器４０において、用紙Ｐに、トナー像が定着され、カラー画像が形成される。カラー画像が形成された用紙Ｐは、例えば、排出ローラ及びピンチローラによって用紙スタッカへ排出することができる。
【００９１】
上記の処理によって用紙Ｐ上にカラー画像が形成される。
【００９２】
実施の形態１に係る露光装置としてのＬＥＤヘッド１３（例えば、ＬＥＤヘッド１３Ｂｋ，１３Ｙ，１３Ｍ，１３Ｃ）及びこのＬＥＤヘッド１３を備えた画像形成装置１の効果（各変形例の効果を含む）について以下に説明する。
【００９３】
実施の形態１（各変形例を含む）によれば、付勢部材１０５をＸ方向（長手方向）に撓ませてホルダ１０３に係合させるので、付勢部材１０５をホルダ１０３に係合させる際に、基板１０２のＹ方向（短手方向）への変位を抑制することができる。これにより、付勢部材１０５をホルダ１０３に係合させた後に、基板１０２のＹ方向における位置調整工程を削減することができる。さらに、基板１０２のＹ方向（短手方向）への変位が抑制されるので、ＬＥＤヘッド１３によって形成される静電潜像の位置ずれを抑制することができる。その結果、画像形成装置１における印字品質の低下を抑制することができる。
【００９４】
《実施の形態２》
実施の形態１では、付勢部材１０５の全体がＺ方向に撓んだ状態で基板１０２を付勢する。そのため、付勢部材１０５をホルダ１０３に係合させると、Ｘ方向における付勢部材１０５の幅が小さくなる。したがって、複数の付勢部材１０５をＸ方向に連結して用いた場合、Ｘ方向における付勢箇所の位置ずれが生じる可能性がある。そこで、実施の形態２では、後述する複数の付勢部２０６を連結することにより、部品点数を減らすとともに、Ｘ方向における付勢箇所の位置ずれを防止する構造について説明する。
【００９５】
図１５（ａ）は、実施の形態２に係るＬＥＤヘッドの付勢部材２０５の裏側の構造を概略的に示す斜視図である。
図１５（ｂ）は、実施の形態２に係るＬＥＤヘッドの付勢部材２０５のおもて側の構造を概略的に示す斜視図である。
【００９６】
実施の形態２に係るＬＥＤヘッドの付勢部材２０５は、複数の付勢部２０６と、各付勢部２０６を連結する連結部２０７を有する。各付勢部２０６は、第１の弾性部としてのアーム４０２と、平板状に形成された第２の弾性部としてのベース４０１と、ベース４０１とアーム４０２との間に形成された接合部４０３と、ベース４０１の中央に形成された当接部としての突起４０４と、スリット４０５と、第３の弾性部としてのばね部４０６とを有する。
【００９７】
実施の形態１と比較すると、付勢部２０６は、実施の形態１における付勢部材１０５に相当し、複数の付勢部２０６が連結部２０７によって一体化されている点で、実施の形態２は実施の形態１と異なる。アーム４０２の形状及びホルダ１０３の係合部１０３ｃの形状は、実施の形態１と同じである。さらに、実施の形態２では、基板１０２を付勢する方法が実施の形態１と異なる。実施の形態２では、実施の形態１とは異なる点について以下に説明する。
【００９８】
図１６は、付勢部２０６の構造を概略的に示す平面図である。
付勢部２０６のベース４０１には、突起４０４の周囲にスリット４０５が形成されている。スリット４０５の内側に、基板１０２をＺ方向に付勢するばね部４０６が形成されている。ばね部４０６は、平板状に形成されている。突起４０４は、ばね部４０６の表面に設けられている。突起４０４は、基板１０２に向けて突出しており、付勢部材２０５がホルダ１０３と係合したときに基板１０２と当接する。
【００９９】
ばね部４０６の付勢力は、Ｘ方向におけるスリット４０５の長さ、すなわち、Ｘ方向におけるばね部４０６の長さＬ４によって調整することができる。具体的には、ばね部４０６の長さＬ４を短くするほど、基板１０２に対する付勢力を強くすることができる。実施の形態１と同様に、コネクタ１０８の近傍における付勢部２０６の付勢力を強くすることにより、コネクタ１０８に対するケーブルの抜き差しによる基板１０２のＺ方向における反りの矯正力を強くすることができる。
【０１００】
図１７は、付勢部材２０５がホルダ１０３（具体的には、係合部１０３ｃ）と係合している状態のＬＥＤヘッドの構造を概略的に示す正面図である。
付勢部材２０５をホルダ１０３に係合させる方法は、実施の形態１と同様である。この場合、実施の形態１で説明した付勢部材１０５は、付勢部２０６に相当する。
【０１０１】
図１７に示されるように、付勢部２０６（具体的には、アーム４０２）が係合部１０３ｃと係合することにより、突起４０４がマイラーシート１０６を介して基板１０２を付勢する状態で、ばね部４０６が、ばね部４０６の一端部を支持点としてＺ方向に撓む。
【０１０２】
実施の形態１と比較すると、ベース４０１のうちのスリット４０５に囲まれた部分（すなわち、ばね部４０６）がＺ方向に撓み、ベース４０１の他の部分が撓まないので、Ｚ方向への撓みによって生じる付勢部２０６のＸ方向への変形（縮み）を防止することができる。したがって、複数の付勢部２０６が連結されていても、Ｘ方向において、アーム４０２及び係合部１０３ｃの位置を合わせることができる。
【０１０３】
実施の形態２に係るＬＥＤヘッド及びこのＬＥＤヘッドを備えた画像形成装置は、実施の形態１で説明した効果と同じ効果を有する。
【０１０４】
さらに、実施の形態２によれば、複数の付勢部２０６を連結することができるので、実施の形態１に係るＬＥＤヘッド１３と比べて、部品点数を削減することができるという効果を得ることができる。
【０１０５】
以上に説明した各実施の形態における特徴及び各変形例における特徴は、互いに適宜組み合わせることができる。
【符号の説明】
【０１０６】
１  画像形成装置、  １３，１３ＢＫ，１３Ｙ，１３Ｍ，１３Ｃ  ＬＥＤヘッド（露光装置）、  １０１  ＬＥＤアレイ、  １０２  基板、  １０３，５０３  ホルダ（保持部材）、  １０３ａ  開口部、  １０３ｂ  支持部、  １０３ｃ，５０３ｃ  係合部、  １０４  ロッドレンズアレイ（光学系）、  １０５，１０５ａ，１０５ｂ，１０５ｃ，１０５ｄ，２０５  付勢部材、  １０６  マイラーシート、  １０７  シリコン樹脂、  １０８  コネクタ、  ２０１，５０３ｂ  スロープ、  ２０２，５０３ａ  凹部、  ２０６  付勢部、  ２０７  連結部、  ３０１，３０１ｂ，４０１  ベース（第２の弾性部）、  ３０２，３０２ａ，３０２ｂ，３０２ｃ，４０２  アーム（第１の弾性部）、  ３０３，３０３ｄ，４０３  接合部、  ３０４，４０４  突起（当接部）、  ３０５  リブ、  ３０６  突起、  ４０５  スリット、  ４０６  ばね部（第３の弾性部）。
【図１】
2018083373.tif 000003
【図２】
2018083373.tif 000004
【図３】
2018083373.tif 000005
【図４】
2018083373.tif 000006
【図５】
2018083373.tif 000007
【図６】
2018083373.tif 000008
【図７】
2018083373.tif 000009
【図８】
2018083373.tif 000010
【図９】
2018083373.tif 000011
【図１０】
2018083373.tif 000012
【図１１】
2018083373.tif 000013
【図１２】
2018083373.tif 000014
【図１３】
2018083373.tif 000015
【図１４】
2018083373.tif 000016
【図１５】
2018083373.tif 000017
【図１６】
2018083373.tif 000018
【図１７】
2018083373.tif 000019